(57)【要約】【課題】  運搬が容易で、かつ、敷地の大きさや形状に合わせてレイアウト自在に簡単に組み立てることができ、しかも、軽量でありながら形態安定性にも優れた組立式プランターを提供すること。【解決手段】  コーナー擁壁板１Ａの内側裾部に踏み板11が突成された隅部材Ａと、単擁壁板１Ｂの内側裾部に踏み板11が突成された縁部材Ｂとを組み合わせて包囲される収容部分の底面において、表面に排水孔21が形成された方形板体のメッシュパレット２・２…が敷設可能であって、かつ、前記隅部材Ａと縁部材Ｂの各擁壁板１の側縁対向面12には係合片13ａが設けられており、当該両対向面12・12を対向せしめて形成される係合部13にジョイント部材３を挿入して当該両役物成形物を連結可能に構成されており、前記メッシュパレット２が前記擁壁板１の踏み板11を踏み付けることによって擁壁板１の起立性および形態性を安定ならしめるという技術的手段を採用した。【選択図】  図５
2005124459.tif 000002
【特許請求の範囲】
【請求項１】
役物成形物の組合せから成る花壇・菜園などに用いるプランターであって、
角部の立設部材であって、コーナー擁壁板１Ａの内側裾部に踏み板11が突成された隅部材Ａと、
単擁壁板１Ｂの内側裾部に踏み板11が突成された縁部材Ｂとを組み合わせて包囲される収容部分の底面において、表面に排水孔21が形成された方形板体のメッシュパレット２・２…が敷設可能であって、かつ、前記隅部材Ａと縁部材Ｂの各擁壁板１の側縁対向面12には係合片13ａが設けられており、当該両対向面12・12を対向せしめて形成される係合部13にジョイント部材３を挿入して当該両役物成形物を連結可能に構成されており、
前記メッシュパレット２が前記擁壁板１の踏み板11を踏み付けることによって擁壁板１の起立性およびレイアウト形態性を安定ならしめることを特徴とする組立式プランター。
【請求項２】
メッシュパレット２の裏面に脚部リブ22が形成され、かつ、擁壁板１の踏み板11の上面には掛止部11ａが形成されており、これら両部材が掛合することによって、メッシュパレット２が確実に位置決めされることを特徴とする請求項１記載の組立式プランター。
【請求項３】
役物成形物の組合せから成る花壇・菜園などに用いるプランターであって、
角部の立設部材であって、コーナー擁壁板１Ａの内側裾部に踏み板11が突成された隅部材Ａと、
単擁壁板１Ｂの内側裾部に踏み板11が突成された縁部材Ｂとを組み合わせて包囲される収容部分の底面において、透水性不織布マット４・４…が敷設可能であって、かつ、前記隅部材Ａと縁部材Ｂの各擁壁板１の側縁対向面12には係合片13ａが設けられており、当該両対向面12・12を対向せしめて形成される係合部13にジョイント部材３を挿入して当該両役物成形物を連結可能に構成されており、
前記透水性不織布マット４が前記擁壁板１の踏み板11を踏み付けることによって擁壁板１の起立性およびレイアウト形態性を安定ならしめることを特徴とする組立式プランター。
【請求項４】
透水性不織布マット４が密度勾配構造または多層構造を有することを特徴とする請求項３に記載の組立式プランター。
【請求項５】
擁壁板１の下部内壁面と踏み板11上面とに亙り補強リブ11ｂが形成されていることを特徴とする請求項１〜４の何れか一つに記載の組立式プランター。
【請求項６】
擁壁板１が、頭部から脚部に亙り逓増的に増厚して形成されていることを特徴とする請求項１〜５の何れか一つに記載の組立式プランター。
【発明の詳細な説明】
【技術分野】
【０００１】
本発明は、花壇・菜園などに用いるプランターの改良、更に詳しくは、運搬が容易で、かつ、敷地の大きさや形状に合わせてレイアウト自在に簡単に組み立てることができ、しかも、軽量でありながらレイアウト形態安定性にも優れた組立式プランターに関するものである。
【背景技術】
【０００２】
周知のとおり、近年では、「ヒートアイランド現象（人工排熱の増加、人工被覆の増加および自然空間の喪失という都市における人工化の過剰な進展から生ずる、熱大気汚染をいう。）」が環境問題となっており、熱中症などの健康影響や二酸化炭素排出量の増加などの影響をもたらすおそれがあるため、その対策として、ビルディングの屋上に花壇などを設置する緑化運動が盛んに行われている。
【０００３】
ところで、かかる花壇や、一般家庭にて行われる菜園などは、通常、重たいコンクリートブロックなどで囲って積み上げることによって築造されているため（例えば、特許文献１参照）、その作業には大変な労力が必要である。また、かかる組立式のものは、臨時のイベント会場などにおいて仮設的に使用する場合も多く、設置および撤去作業が頻繁であるので、その労力は甚大である。
【０００４】
しかしながら、いくら組立式の分割構造にして構成部材を軽量にしたとしても、結局、プランターの安定性を確保させるためには、ある程度の重石が必要であり、この重石となるだけの重量物を運搬せねばならないという不満がある。
【特許文献１】特開2001− 69851号公報（第２−４頁、図６）
【発明の開示】
【発明が解決しようとする課題】
【０００５】
本発明は、従来のプランターに上記のような問題があったことに鑑みて為されたものであり、その目的とするところは、運搬が容易で、かつ、敷地の大きさや形状に合わせてレイアウト自在に簡単に組み立てることができ、しかも、軽量でありながらレイアウト形態安定性にも優れた組立式プランターを提供することにある。
【課題を解決するための手段】
【０００６】
本発明者が上記課題を解決するために採用した手段を添付図面を参照して説明すれば次のとおりである。
【０００７】
即ち、本発明は、役物成形物の組合せから成る花壇・菜園などに用いるプランターであって、
角部の立設部材であって、コーナー擁壁板１Ａの内側裾部に踏み板11が突成された隅部材Ａと、
単擁壁板１Ｂの内側裾部に踏み板11が突成された縁部材Ｂとを組み合わせて包囲される収容部分の底面において、表面に排水孔21が形成された方形板体のメッシュパレット２・２…が敷設可能であって、かつ、前記隅部材Ａと縁部材Ｂの各擁壁板１の側縁対向面12には係合片13ａが設けられており、当該両対向面12・12を対向せしめて形成される係合部13にジョイント部材３を挿入して当該両役物成形物を連結可能に構成されており、
前記メッシュパレット２が前記擁壁板１の踏み板11を踏み付けることによって擁壁板１の起立性およびレイアウト形態性を安定ならしめるという技術的手段を採用した。
【０００８】
また、本発明は、上記課題を解決するために、必要に応じて上記手段に加え、メッシュパレット２の裏面に脚部リブ22が形成され、かつ、擁壁板１の踏み板11の上面には掛止部11ａが形成されており、これら両部材が掛合することによって、メッシュパレット２が確実に位置決めされるようにするという技術的手段を採用した。
【０００９】
また、本発明は、角部の立設部材であって、コーナー擁壁板１Ａの内側裾部に踏み板11が突成された隅部材Ａと、
単擁壁板１Ｂの内側裾部に踏み板11が突成された縁部材Ｂとを組み合わせて包囲される収容部分の底面において、透水性不織布マット４・４…が敷設可能であって、かつ、前記隅部材Ａと縁部材Ｂの各擁壁板１の側縁対向面12には係合片13ａが設けられており、当該両対向面12・12を対向せしめて形成される係合部13にジョイント部材３を挿入して当該両役物成形物を連結可能に構成されており、
前記透水性不織布マット４が前記擁壁板１の踏み板11を踏み付けることによって擁壁板１の起立性およびレイアウト形態性を安定ならしめるという技術的手段を採用した。
【００１０】
また、本発明は、上記課題を解決するために、必要に応じて上記手段に加え、透水性不織布マット４を密度勾配構造または多層構造を有するようにするという技術的手段を採用した。
【００１１】
更にまた、本発明は、上記課題を解決するために、必要に応じて上記手段に加え、擁壁板１の下部内壁面と踏み板11上面とに亙り補強リブ11ｂを形成するという技術的手段を採用した。
【００１２】
更にまた、本発明は、上記課題を解決するために、必要に応じて上記手段に加え、擁壁板１を、頭部から脚部に亙り逓増的に増厚して形成するという技術的手段を採用した。
【発明の効果】
【００１３】
本発明にあっては、各役物成形物を組立式に構成したことによって、運搬が容易で、かつ、敷地の大きさや形状に合わせてレイアウト自在に簡単に組み立てることができる。また、擁壁板の裾部に踏み板を形成したことにより、メッシュパレットまたは透水性不織布マットが前記踏み板を踏み付けることによって、軽量でありながら擁壁板の起立性およびレイアウト形態性を安定ならしめることができる。
【００１４】
このように構成された本発明のプランターを使用することによって、ビルディングの屋上緑化を促進することができ、ヒートアイランド現象の緩和に貢献することができることから、産業上における利用価値は頗る高いと云える。
【発明を実施するための最良の形態】
【００１５】
本発明の実施形態を具体的に図示した図面に基いて更に詳細に説明すると次のとおりである。
【００１６】
本発明の実施形態を図１から図８に基いて説明する。図中、符号１で指示するものは擁壁板であり、この擁壁板１はプランター周縁を包囲するように立設されている。また、符号２で指示するものはメッシュパレットであり、このメッシュパレット２は表面に排水孔21が形成された方形板体である（図３および図４参照）。更にまた、符号３で指示するものはジョイント部材であり、このジョイント部材３は隣接する役物成形物を連結するために前記擁壁板１の係合部13に挿入する部材である。
【００１７】
しかして、本実施形態の組立式プランターを構成するにあっては、角部の立設部材であって、コーナー擁壁板１Ａの内側裾部に踏み板11が突成された隅部材Ａ（図１参照）と、単擁壁板１Ｂの内側裾部に踏み板11が突成された縁部材Ｂ（図２参照）とを組み合わせて包囲される収容部分の底面において、表面に排水孔21が形成された方形板体のメッシュパレット２・２…が敷設できるようにする。なお、本実施形態では、前記踏み板11は、各擁壁板１（１Ａ・１Ｂ）から一体に持出成形したものを採用するけれども、当該擁壁板１に対し、ネジ止めや嵌合などによる着脱式に構成することもでき、必要に応じて、踏み代のサイズを変更せしめて安定度を調整することが可能である。
【００１８】
これらの役物成形物およびメッシュパレット２は、本実施形態では、合成樹脂（本実施形態では、ポリエチレン）のような軽量で成形性の良い材料で作製することが好ましく、そして、図５に示すように組み合わせて配置することによって、花壇・菜園などに用いるプランターを構成することができる。
【００１９】
また、前記隅部材Ａと縁部材Ｂの各擁壁板１（１Ａ・１Ｂ）の側縁対向面12には係合片13ａが設けられており、当該両対向面12・12を対向せしめて形成される係合部13にジョイント部材３を挿入して当該両役物成形物を連結することができる。この際、必要に応じて、このジョイント部材３に抜け止め突起を設けることにより、係合部13から抜け難くすることができ、両部材を確実強固に結合することができる。
【００２０】
そして、前記メッシュパレット２が前記擁壁板１の踏み板11を踏み付けることによって擁壁板１の起立性およびレイアウト形態性を安定ならしめる。また、本実施形態では、図４に示すように、メッシュパレット２の裏面に脚部リブ22を形成し、かつ、擁壁板１の踏み板11の上面には掛止部11ａを形成し、これら両部材が掛合することによって、メッシュパレット２が確実に位置決めすることができる。前記メッシュパレット２の脚部リブ22によって、裏面が直接接地せずにスペースが作出されることにより、例えば、設置面がアスファルトやコンクリートなどの高温になるおそれのある地表であっても、地熱の影響を軽減して根枯れを防止することもできる。
【００２１】
本実施形態では、図６に示すように、擁壁板１の下部内壁面と踏み板11上面とに亙り補強リブ11ｂを形成することができ、擁壁板１に強い力がかかったとしても、補強されて破損し難くすることができる。この際、補強リブ11ｂは、メッシュパレット２に干渉しない位置に形成すべきである。
【００２２】
なお、本実施形態では、前記擁壁板１を、頭部から脚部に亙り逓増的に増厚して形成することにより、土圧に対する抵抗力を付与するとともに、プランターを安定化させることもできる。
【００２３】
また、図７中において、符号４で指示するものは透水性不織布マットであり、この透水性不織布マットは、例えば、ポリエステル製のスポンジ状であって、密度勾配を有するものや多層構造を有するもの、例えば、堅牢性を備えた保護層、目の細かいフィルター層、剛性強度を備えた排水・貯水槽というように分けることができる。
【００２４】
しかして、前記隅部材Ａと縁部材Ｂとを組み合わせて包囲される収容部分の底面において、当該透水性不織布マット４・４…が敷設可能であり、前述のメッシュパレット２を敷設した場合と同様に、優れた排水効果を有するとともに、透水性不織布マット４が前記擁壁板１の踏み板11を踏み付けることによって擁壁板１の起立性およびレイアウト形態性を安定ならしめることができる。
【００２５】
また、図示しないが、擁壁板１の上部に形成された差込孔14に支持棒材を挿入して被覆部材を掛架可能であり、ビニールハウスなどを簡単に構成することができる。また、植栽物の茎や蔓などを支持する支柱や棚などを設置することもできるし、擁壁板１の上部に補足堰板を継足し設置可能にすることにより、植栽の背丈に応じて土壌の分量を調節することもできる。
【００２６】
本発明は概ね上記のように構成されるが、図示の実施形態に限定されるものでは決してなく、「特許請求の範囲」の記載内において種々の変更が可能であって、例えば、図８に示すように、擁壁板１の側縁対向面12の切出し形状を変更し、擁壁板同士の対向角度を適宜変更して組み合わせることにより、プランターをその場に応じた複雑な形状のレイアウトに構成することを可能にする。この際、ジョイント部材３の掛合部分の形状は作出された係合部13の形状に合わせて設計変更すれば良い。
【００２７】
また、メッシュパレット２は、軽石などの粒材を凝結して作製したものを採用することも可能であるし、更にまた、プランター内への動物侵入する防止するための防護柵などを設置することも可能であり、何れのものも本発明の技術的範囲に属する。
【図面の簡単な説明】
【００２８】
【図１】本発明の実施形態の隅部材の構造を表わす斜視図である。
【図２】本発明の実施形態の縁部材の構造を表わす斜視図である。
【図３】本発明の実施形態のメッシュパレットの構造を表わす斜視図である。
【図４】本発明の実施形態のメッシュパレットの構造を表わす斜視図である。
【図５】本発明の実施形態における各役物成形物を組合わせた状態を表わす全体斜視図である。
【図６】本発明の実施変形例の構造を表わす斜視説明図である。
【図７】本発明の実施変形例における各役物成形物を組合わせた状態を表わす全体斜視図である。
【図８】本発明の実施変形例の構造を表わす上面説明図である。
【符号の説明】
【００２９】
１    擁壁板
１Ａ  コーナー擁壁板
１Ｂ  単擁壁板
11  踏み板
11ａ  掛止部
11ｂ  補強リブ
12  側縁対向面
13  係合部
13ａ  係合片
14  差込孔
２    メッシュパレット
21  排水孔
22  脚部リブ
３    ジョイント部材
４    透水性不織布マット
Ａ    隅部材
Ｂ    縁部材
【図１】
2005124459.tif 000003
【図２】
2005124459.tif 000004
【図３】
2005124459.tif 000005
【図４】
2005124459.tif 000006
【図５】
2005124459.tif 000007
【図６】
2005124459.tif 000008
【図７】
2005124459.tif 000009
【図８】
2005124459.tif 000010